(57)【要約】【課題】雄型部品または雌型部品が傾いた状態で配置されていた場合であっても真っ直ぐに圧入することができ、しかも、圧入と同時に雄型部品の外寸または雌型部品の内寸の寸法不良まで検査することができる部品の圧入・検査方法を提供する。【解決手段】雄型部品１０と雌型部品２０とを圧入し、かつ、雄型部品１０の外寸または雌型部品２０の内寸の寸法不良を検査する方法であって、最初に、雄型部品１０または雌型部品２０を押圧するシリンダ１のピストン２を正規の圧力よりも低圧で移動させ、その際のピストン２の移動量Ａ’を計測すると共に低圧時の標準の移動量Ａと比較し、その後、ピストン２を正規の圧力で移動させ、その際のピストン２の移動量Ｂ’を計測すると共に高圧時の標準の移動量Ｂと比較する部品の圧入・検査方法。【選択図】  図１
2004163132.tif 000002
【特許請求の範囲】
【請求項１】
雄型部品（１０）と雌型部品（２０）とを圧入し、かつ、雄型部品（１０）の外寸または雌型部品（２０）の内寸の寸法不良を検査する方法であって、最初に、雄型部品（１０）または雌型部品（２０）を押圧するシリンダ（１）のピストン（２）を正規の圧力よりも低圧で移動させ、その際のピストン（２）の移動量（Ａ’）を計測すると共に低圧時の標準の移動量（Ａ）と比較し、その後、ピストン（２）を正規の圧力で移動させ、その際のピストン（２）の移動量（Ｂ’）を計測すると共に高圧時の標準の移動量（Ｂ）と比較することを特徴とする部品の圧入・検査方法。
【発明の詳細な説明】
【０００１】
【発明の属する技術分野】
本発明は、雄型部品と雌型部品とを真っ直ぐに圧入することができ、同時に、雄型部品の外寸または雌型部品の内寸の不良まで検査することができる部品の圧入・検査方法に関するものである。
【０００２】
【従来の技術】
雄型部品と雌型部品とを圧入するに際しては、一般に、その一方をシリンダのピストン等で押圧して行うが、従来の圧入方法は、正規の圧力によって一回で圧入し終えるものであった。
【０００３】
そして、この際に圧入する雄型部品または雌型部品が傾いた状態で配置されていると斜めに部品が圧入されてしまうので、そのような事態を防止するために、図２に示す通り、雄型部品１０に対してスペーサ３０を用いることが行われていた（例えば、特許文献１参照。）。
【０００４】
【特許文献１】
実開平５−２６２７４号公報  （第１−２頁、図１−４）
【０００５】
【発明が解決しようとする課題】
しかしながら、スペーサ３０を用いるとその取り付けおよび取り外しの手間が生じ、作業性が悪化するという問題があった。また、雄型部品１０が円柱状と異なる形状（例えば、円錐状）であると、スペーサ３０を使用すること自体が困難であった。更に、従来の圧入方法は単に圧入するだけなので、雄型部品１０の外寸不良（正規の外径よりも大または小）や雌型部品２０の内寸不良（正規の内径よりも大または小）の検査は、別の工程で行わなければならなかった。
【０００６】
そこで本発明は、作業性を悪化させることなく、雄型部品または雌型部品が傾いた状態で配置されていた場合であっても真っ直ぐに圧入することができ、しかも、圧入と同時に雄型部品の外寸または雌型部品の内寸の寸法不良まで検査することができる部品の圧入・検査方法を提供することを目的とするものである。
【０００７】
【課題を解決するための手段】
本発明は、以上の課題を解決するためになされたものであって、その要旨は、雄型部品と雌型部品とを圧入し、かつ、雄型部品の外寸または雌型部品の内寸の寸法不良を検査する方法であって、最初に、雄型部品または雌型部品を押圧するシリンダのピストンを正規の圧力よりも低圧で移動させ、その際のピストンの移動量を計測すると共に低圧時の標準の移動量と比較し、その後、ピストンを正規の圧力で移動させ、その際のピストンの移動量を計測すると共に高圧時の標準の移動量と比較する部品の圧入・検査方法に係るものである。
【０００８】
【発明の実施の形態】
本発明の部品の圧入・検査方法は、雄型部品と雌型部品とを圧入し、かつ、雄型部品の外寸または雌型部品の内寸の寸法不良を検査するものである。即ち、最初に、雄型部品または雌型部品を押圧するシリンダのピストンを正規の圧力よりも低圧で移動させる。従って、この段階では圧入にまで至らない。
【０００９】
ここで、ピストンで押圧される雄型部品または雌型部品が真っ直ぐに配置されていれば、両者の位置関係はほとんど変化しないが、斜めに配置されていた場合には、低圧で押圧されることによって傾きが是正されるのである。なお、傾きが是正されて真っ直ぐになった後は、当初から真っ直ぐに配置されていた場合と同様の状態になる。
【００１０】
また、ピストンを低圧で移動させた際の移動量を計測し、低圧時の標準の移動量と比較する。その結果、標準の移動量とほぼ一致した場合にはそのまま圧入しても問題ないが、標準の移動量よりも大きい場合には雄型部品の外寸が正規の外径よりも小さいか、雌型部品の内寸が正規の内径よりも大きいことになる。
【００１１】
従って、この場合には雄型部品または雌型部品の少なくとも一方を取り替え、標準の移動量になる組み合わせにしておく。なお、標準の移動量よりも小さい場合には正規の圧力で圧入した後の移動量で判断する。
【００１２】
このように、最初に正規の圧力よりも低圧でピストンを移動させ、部品の傾きを是正し、雄型部品と雌型部品との寸法上の組み合わせを最適化しておく。そして、その後、ピストンを正規の圧力で移動させて圧入する。そのため、スペーサを用いなくても部品が斜めに圧入される不具合は生じない。
【００１３】
また、正規の圧力で圧入した際のピストンの移動量も計測し、高圧時の標準の移動量と比較する。その結果、標準の移動量とほぼ一致した場合には検査に合格となる。ところが、雄型部品の外寸が正規の外径よりも大きいか、雌型部品の内寸が正規の内径よりも小さく、そのため、標準の移動量まで達しない場合には圧入寸法の不良によって検査に不合格となる。
【００１４】
なお、雄型部品の外寸が正規の外径よりも小さいか、雌型部品の内寸が正規の内径よりも大きい場合は低圧時の標準の移動量で判定されるので、ピストンの移動量が高圧時の標準の移動量よりも大きくなることはない。
【００１５】
【実施例】
以下、本発明の好ましい実施の形態の具体例を図面に基づいて説明する。図１は、本発明の部品の圧入・検査方法の一例を示す概念図であり、図１（Ａ）は部品の圧入前、図１（Ｂ）は圧入初期、図１（Ｃ）は圧入終了時の状態を示している。
【００１６】
図１に示すように、雄型部品１０は図示しない台上に置かれており、雄型部品１０の上に雌型部品２０が配置されている。また、雌型部品２０の上方にピストン２を有するシリンダ１が設置されている。ここで、シリンダ１には高圧と低圧の２種類の回路が配管されており、２回路は適宜切り換えられるようになっている。
【００１７】
図１（Ａ）に示すように、圧入前に雌型部品２０が傾いて配置されていたとする。ここで、本発明の部品の圧入・検査方法によれば、雌型部品２０を雄型部品１０に一回で圧入しない。即ち、最初にシリンダ１を低圧回路に接続しておき、押圧面が平坦なピストン２を正規の圧力よりも低圧で移動させ、雌型部品２０の上部を押圧する。すると、図１（Ｂ）に示すように、斜めに配置されていた雌型部品２０が真っ直ぐになり傾きが是正される。但し、この段階では圧入にまで至らない。
【００１８】
また、図１（Ｂ）に示す状態におけるピストン２の移動量Ａ’が計測される。そして、低圧時の標準の移動量Ａと比較し、両者が一致（Ａ’≒Ａ）した場合には高圧回路に切り換えてピストン２を正規の圧力で移動させる。
【００１９】
一方、実際の移動量Ａ’が標準の移動量Ａよりも大きい場合（Ａ’＞Ａ）には雄型部品１０の外寸が正規の外径よりも小さいか、雌型部品２０の内寸が正規の内径よりも大きいと判断される。従って、図１（Ａ）の状態に戻し、雄型部品１０または雌型部品２０の少なくとも一方を取り替えて、同じ作業を繰り返す。
【００２０】
このようにして雌型部品２０の傾きを是正し、雄型部品１０と雌型部品２０との寸法上の組み合わせを最適化した後、高圧回路によってピストン２を正規の圧力で移動させ、図１（Ｃ）に示すように、雄型部品１０に雌型部品２０を圧入する。
【００２１】
そして、図１（Ｃ）に示す状態におけるピストン２の移動量Ｂ’を計測し、高圧時の標準の移動量Ｂと比較する。その結果、両者がほぼ一致した場合（Ｂ’≒Ｂ）には検査に合格したものとして処理される。
【００２２】
一方、実際の移動量Ｂ’が標準の移動量Ｂよりも大きい場合（Ｂ’＞Ｂ）には雄型部品１０の外寸が正規の外径よりも大きいか、雌型部品２０の内寸が正規の内径よりも小さいと判断される。従って、この場合は検査に不合格として処理される。
【００２３】
【発明の効果】
本発明の部品の圧入・検査方法は、最初に、雄型部品または雌型部品を押圧するシリンダのピストンを正規の圧力よりも低圧で移動させ、その際のピストンの移動量を計測すると共に低圧時の標準の移動量と比較し、その後、ピストンを正規の圧力で移動させ、その際のピストンの移動量を計測すると共に高圧時の標準の移動量と比較するので、雄型部品と雌型部品とを圧入する際に、雄型部品または雌型部品が傾いた状態で配置されていた場合であっても真っ直ぐに圧入することができ、しかも、作業性を悪化させることなく、圧入と同時に雄型部品の外寸または雌型部品の内寸の寸法不良まで検査することができる。
【図面の簡単な説明】
【図１】図１は、本発明の部品の圧入・検査方法の一例を示す概念図である。
【図２】図２は、従来の部品の圧入方法を示す概念図である。
【符号の説明】
１‥シリンダ
２‥ピストン
１０‥雄型部品
２０‥雌型部品
３０‥スペーサ
Ａ‥低圧時の標準の移動量
Ａ’‥ピストンを正規の圧力よりも低圧で移動させた際の実際の移動量
Ｂ‥高圧時の標準の移動量
Ｂ’‥ピストンを正規の圧力で移動させた際の実際の移動量
【図１】
2004163132.tif 000003
【図２】
2004163132.tif 000004